(57)【特許請求の範囲】
【請求項１】
ポーラスコンクリート製のブロック状硬化体であって、該硬化体の下面側に緑化材料収納部を形成し、該硬化体の表面から該緑化材料収納部に貫通する複数の細孔を生育孔として形成して成り、該緑化材料収納部に、植物の種子または地下茎に土壌材料、保水・吸水材料、肥料及び土壌改良材を加えた緑化材料を組み込んで構成する緑化基盤材。
【請求項２】
ポーラスコンクリート製のブロック状硬化体であって、該硬化体の下面側に、植物の種子に土壌材料、保水・吸水材料、肥料及び土壌改良材を加えた緑化植栽材料を収納するための緑化材料収納空間を形成し、該硬化体の表面から該緑化材料収納空間に貫通する緑化植栽材料を注入するための注入孔を形成して成る緑化基盤材。
【請求項３】
緑化材料の組み込みが、緑化材料固化体の嵌め込みであることを特徴とする請求項１に記載の緑化基盤材。
【請求項４】
緑化材料の組み込みが、流動化したスラリー状緑化材料の流し込みであることを特徴とする請求項１に記載の緑化基盤材。
【請求項５】
緑化材料の組み込みが、粘土状緑化材料の塗り込みであることを特徴とする請求項１に記載の緑化基盤材。
【請求項６】
緑化基盤材を地盤等の成形面に緑化材料収納部を地盤側に向けて設置する請求項１及び３〜５のいずれかに記載の緑化基盤材を用いる緑化方法。
【請求項７】
緑化基盤材を地盤等の成形面に緑化材料収納空間を地盤側に向けて設置し、次いで注入孔から前記緑化植栽材料を緑化材料収納空間に送り込んで植栽する請求項２に記載の緑化基盤材を用いる緑化方法。
【請求項８】
緑化植栽材料を粉体状にして注入孔から吹き込むことを特徴とする請求項７に記載の緑化方法。
【請求項９】
緑化植栽材料をスラリー状にして注入孔から流し込むことを特徴とする請求項７に記載の緑化方法。
【請求項１０】
既存のコンクリート壁面に緑化基盤材を取り付けて所望の植栽を施すことを特徴とする請求項６及び７〜９のいずれかに記載の緑化方法。
【発明の詳細な説明】
【０００１】
【発明の属する技術分野】
本発明は、地盤、法面等を緑化するための緑化基盤材及びそれを用いた緑化方法に関し、特に、取り扱いが簡便で緑化材料あるいは緑化土壌材料の定着、保持が安定している緑化基盤材及びそれを用いた緑化方法に関する。
【０００２】
【従来の技術】
調整池斜面や河川敷、法面などにおいては、雨水・流水などによって土壌が流出したり洗掘されないように、土壌の安定化と表面保護を図る必要がある。
従来、このために、土壌の表面をセメントコンクリートやコンクリートブロックで覆ってしまうような方法が多く採用されてきた。
しかし、近年、自然環境保全並びに景観上の観点から、ポーラスコンクリートを用いることによって安定化処理面の緑化を図ることが考えられ、実行に移されてきている。
【０００３】
ポーラスコンクリートを用いる方法では、土壌の表面に単にポーラスコンクリートを打設してその空隙に植物が自然に生育してくるのを待っているという方法もあるが、生育のためには多大の時間を要する上に生育の確実性にも欠ける点が問題である。
又、打設したポーラスコンクリートに植裁種子を吹き付ける方法もあるが、種子が発芽してコンクリートの空隙部に根を張る前に、雨水・流水によって吹き付けた土壌、種子等の植裁材料が流出してしまう等の問題があった。
【０００４】
以上の問題を解決する方法として、最近の提案は、種子、肥料、吸水材等、もしくはこれらを混合した粒状成形固化体をポーラスコンクリートの練り混ぜ時に混入させておく方法（特開平４−８９９２０号）として現れてきているが、この方法では、コンクリート混練時に種子が強アルカリによってダメージを受けてしまって、発芽率が低下したり、骨材の間にコンクリートの接合に寄与しない材料がランダムに存在するためにポーラスコンクリートの均一性や強度が損なわれてしまって、本来の目的であった土壌の安定化と表面保護の機能が不十分になる欠点があった。
【０００５】
さらに、ポーラスコンクリートの均一性や強度が損なわれる問題点を解決するために、ポーラスコンクリートの硬化体に空隙を形成させておいて、その空隙部分に種子、肥料、土壌材料及び保水／吸水材等を充填する方法も提案されている（特開平３−３６３２４号、特開平６−１１３６６６号等）が、種子、肥料、土壌材料等をポーラスコンクリートの空隙部に充填しても表面部分のものは雨水・流水で洗い流されてしまったり、大きな種子や地下茎等はこれを入れることができずに植生の種類が限定されてしまう等の問題がある。
加えて、ポーラスコンクリートの狭い空隙部に充填することで多大なエネルギーを必要としコストが高くなってしまう等の課題が依然として存在しており、有効な改善策が嘱望されていた。
【０００６】
【発明が解決しようとする課題】
本発明は、取り扱いと緑化材料及び緑化土壌材料の組み込みが容易で、大量に充填することが可能であり、現地での作業が簡単で、緑化材料及び緑化土壌材料の保持性能が優れている緑化基盤材及びそれを用いた緑化方法を提供するものである。
【０００７】
【課題を解決するための手段】
本発明による緑化基盤材は、ポーラスコンクリート製のブロック状硬化体であって、第１に、硬化体の下面側に緑化材料収納部を形成し、硬化体の表面から上記緑化材料収納部に貫通する生育孔を形成して緑化材料収納部に緑化材料を組み込むものであり、第２に、硬化体の下面側に緑化土壌材料収納部を形成し、硬化体の表面から上記緑化土壌材料収納部に貫通する植栽孔を形成して緑化土壌材料収納部に緑化土壌材料を組み込むものであって、組み込むための各材料は、固化体、流動化したスラリー状もしくは粘土状であってよい。第３は、硬化体の下面側に緑化材料収納空間を形成し、硬化体の表面から緑化材料収納空間に貫通する注入孔を形成している。
【０００８】
又、本発明による緑化方法の第１は、上記した第１の緑化基盤材を用いるものである。第２は、上記した第２の緑化基盤材を用いて植栽孔から植栽するもので、植物の種子、挿し木もしくは植物の苗のいずれかを用いてもよく、第３は、上記した第３の緑化基盤材を用いて注入孔から緑化植栽材料を送り込んで植栽するものであって、緑化植栽材料の形態は粉体でもスラリー状であってもよい。
さらに、上述した本発明による緑化方法は、既存のコンクリート壁面にも適用可能である。
【０００９】
【発明の実施の形態】
本発明による緑化基盤材を、図面に基づいて以下に説明する。
図１〜４で説明するものは、緑化基盤材に予め植栽する緑化材料を組み込んで置き、これを地盤、法面等の作業状況に合わせて設置して行く実施の形態である。
図１は、本発明による緑化基盤材を裏側から見たもので、全体形状を斜視図で示している。
緑化基盤材１は、張りブロック状の硬化体を形成しており、材質はポーラスコンクリートとしできるだけ軽量に製作してある。
緑化基盤材１には、緑化基盤材を区分して４個の緑化材料収納部２を形成しており、各緑化材料収納部２の間は区分と補強を兼ね備えた間仕切３に設けた半円の貫通孔４によってお互いに連絡してあって、植物の根が自由に生育伸張できるようにしてある。
同様に、緑化基盤材１の外郭を構成する脚壁５にも貫通孔４が形成してあり、緑化基盤材１を地盤、法面等に設置した際に隣接する緑化基盤材どうしの間を植栽する植物の根が生育伸張し合うようにして敷設した緑化基盤材１全体の地盤、法面等に対する付着力の増強を図っている。
【００１０】
図２は、緑化基盤材１の平面図とｂ−ｂ矢視の断面図である。
緑化基盤材１は、ポーラスコンクリート製であり、緑化材料収納部２の周辺を間仕切３と脚壁４で囲ってある張りブロック状の硬化体で構成してあって、地盤、法面等には、図示のように緑化材料収納部２を下面にして地盤、法面等の表面に接するように設置し、緑化基盤材１の表面板６で緑化材料収納部２を塞ぎ込むようにしてある。
緑化基盤材１の表面板６には、複数の細孔を設けてあり、植栽する植物の芽が成長して緑化基盤材１の表面に出てくる生育孔７を構成している。
緑化基盤材１形状は、平面形状にして取り扱いや製作のし易すさから矩形を例にして説明してきたが、本発明による緑化基盤材１の形状は、何らこれに限定されるものでなく、周辺環境の状況に合わせて亀甲形等、他の形状の採用を制限するものでない。
【００１１】
図３は、上記緑化基盤材１の緑化材料収納部２に緑化材料８を組み込んだ状態を示している。
緑化材料８は、植物の種子または地下茎に土壌材料、保水・吸水材料、肥料及び土壌改良材等を加えたものであるが、図示から明らかなように、緑化材料８は、緑化材料収納部２と各貫通孔４の部分にまで大量に組み込まれており、従来例のように、ポーラスコンクリートの狭い空隙部に多くの労力を掛けて微量に充填する例と比較して極めて有利であり、大きな種子や地下茎をも入れることが可能であるから、様々な条件の植栽にも柔軟に対応することができる。
【００１２】
緑化材料８の組み込みは、種々の手法が採用可能である。
その第１は、緑化材料８を予め緑化材料収納部の形状に合わせて別途にブロック状に固形化処理しておき、これを緑化基盤材１の緑化材料収納部２に嵌め込んで行く手法である。この手法では、緑化材料８の取り扱いが簡便で周辺を汚す等の問題も少なく作業環境上も望ましい手法である。
第２の手法は、緑化材料を流動化したスラリー状に形成しておき、ポンプ輸送等によって緑化材料収納部２の中に流し込んで乾燥、固形化する手法である。この手法では、緑化基盤材１の貫通孔４を植物の根の成長に障害にならない程度にできるだけ小さくしておくことで、広い緑化材料収納部２の隅々まで緑化材料を充分に手軽に行き渡らせることが可能であり、取り扱い簡便な手法である。
第３の手法は、緑化材料を粘土状に形成しておき、緑化材料収納部２の中に塗り込んで乾燥、固形化する手法である。この手法では、第１の手法よりも前処理が大変でなく、第２の手法よりも乾燥、固形化が早い等の優位性を持っている有効な手段である。
又、この手法は、粘土状に形成した緑化材料を施工現地で緑化材料収納部２の中に塗り込んで直ちに緑化基盤材１と共に地盤、法面に設置する方法に適用することが可能であり、応用性にも富んだ手段である。
【００１３】
図４は、上記各図で説明した本発明による緑化基盤材を地盤、法面等に設置する状態を示す断面図である。
緑化基盤材１は、所定の成形された地盤、法面等９に緑化材料収納部２を下側にして地盤、法面等９に緑化材料８を接触させる状態で上下左右に隣接させて敷設する。
緑化基盤材１の固定手段は、通常の張りブロックの施工と同様であり、地盤、法面に緑化基盤材同士を隣接させて並べて行き、必要に応じて緑化基盤材間の目地詰め処理を行う。急傾斜の斜面やコンクリート壁面等への設置、固定は通常のアンカー等を用いた手法で充分であり、設置後には散水等によって水分補給を充分に行って緑化の促進を図ることが望ましい。
【００１４】
設置された緑化基盤材１内の種子や地下茎は、充分な土壌と肥料の下で生育を開始し、広い緑化材料収納部２によって大量に纏まった緑化材料が日照りにあっても乾燥することなく、雨水や流水があっても脚壁５や間仕切３で防御されていることから流出することもなく成長する。
生長した植物１０の根は、地盤、法面の地中と共に他の緑化材料収納部や隣接した緑化基盤材の中にまでお互いに進出して行き、植栽された植物の安定成長と緑化基盤材の確実な定着を確立するものである。
【００２０】
図５〜７で説明するものは、緑化基盤材に緑化材料収納空間を形成して置き、これを地盤、法面等の作業状況に合わせて設置して行くものであり、植栽工事は、緑化基盤材の設置・施工時期と無関係に、最適な時期や季節を見計らって緑化植栽材料の現地組込みによって植栽する形態である。
図５は、本発明による緑化基盤材の他の例を裏側から見たもので、全体形状を斜視図で示している。
緑化基盤材３０は、緑化基盤材１と同様に、張りブロック状の硬化体を形成しており、材質はポーラスコンクリートとしできるだけ軽量に製作してある。
緑化基盤材３０には、緑化基盤材を区分して４個の緑化材料収納空間３１を形成しており、各緑化材料収納空間３１の間は区分と補強を兼ね備えた間仕切３２に設けた半円の貫通孔３３によってお互いに連絡してあって、植物の根が自由に生育伸張できるようにしてある。
同様に、緑化基盤材３０の外郭を構成する脚壁３４にも貫通孔３３が形成してあり、緑化基盤材３０を地盤、法面等に設置した際に隣接する緑化基盤材どうしの間を植栽する植物の根が生育伸張しあうようにして敷設した緑化基盤材３０全体の地盤、法面等に対する付着力の増強を図っている。
４個の緑化材料収納空間３１を塞ぐ表面板３５には、４個の適当な大きさの注入孔３６が設けてあり、緑化基盤材３０を地盤、法面に設置した後に、緑化基盤材３０の表面にある注入孔３６から緑化材料収納空間３１内に緑化植栽材料を送り込んで植栽できるようにしてある。
【００２１】
図６は、緑化基盤材３０の平面図とｂ−ｂ矢視の断面図である。
緑化基盤材３０は、ポーラスコンクリート製であり、緑化材料収納空間３１の周辺を間仕切３２と脚壁３４で囲ってある張りブロック状の硬化体で構成してあって、地盤、法面等には、図示のように緑化材料収納空間３１を下面にして地盤、法面等の表面に接するように設置し、緑化基盤材３０の表面板３５で緑化材料収納空間３１を塞ぎ込むようにしてある。
緑化基盤材３０の表面板３５には、４個の緑化材料収納空間３１に連通する注入孔３６を設けてあり、地盤、法面等に緑化基盤材３０を設置してから、緑化植栽材料を送り込み、緑化材料収納空間３１を緑化植栽材料で充満させるように構成している。
緑化植栽材料は、植栽種子に土壌材料、保水・吸水材料、肥料及び土壌改良材等から構成されており、緑化植栽材料の形態は粉体でもスラリー状であってもよい。
粉体状の場合は、エアーを用いて注入孔３６から緑化材料収納空間３１に吹き込むことになる。
スラリー状にするには、緑化植栽材料に水、液肥等を加えて適当な流度に混合するものであり、緑化基盤材３０には注入孔３６から流し込むかもしくはスラリー圧送ポンプや注入用ポンプと注入機材を用いた注入装置３７によって注入することで送り込みを完了する。
緑化基盤材３０形状は、緑化基盤材１と同様に周辺環境の状況に合わせて亀甲形等、他の形状の採用を制限するものでない。
【００２２】
図７は、図５、６で説明した緑化基盤材３０を地盤、法面等に設置する状態を示す断面図である。
緑化基盤材３０は、所定の成形された地盤、法面等９に緑化材料収納空間３１を下側にして地盤、法面等９に上下左右に隣接させて敷設する。緑化基盤材３０の固定手段は、通常の張りブロックの施工と同様であり、地盤、法面に緑化基盤材同士を隣接させて並べて行き、必要に応じてモルタル等で緑化基盤材間の目地詰め処理を行う。急傾斜の斜面やコンクリート壁面等への設置、固定は通常のアンカー等を用いた手法で充分である。
緑化基盤材３０を設置、固定した後に、上述のように注入孔３６から緑化植栽材料を注入装置３７で緑化材料収納空間３１に送り込んで緑化基盤材３０と地盤、法面等９との一体化を図り、散水等によって水分補給を充分に行って緑化の促進を図る。
【００２３】
図８，９は、緑化基盤材を張りブロック状の硬化体で構成しない他の実施形態である。
図８（ａ）に示す緑化基盤材４０は、図１で説明した緑化基盤材１に相当するものであり、矩形状の平板４１の隅部及び中間部分に９本の脚柱４２が固着されており、各脚柱４２で囲まれた区画をそれぞれの緑化材料収納部４３として構成してある。
平板４１の全面には、緑化基盤材１と同様に平板を貫通する生育孔４４が空けられており、植栽する植物の芽が緑化基盤材４０の表面から成長できるように構成してある。
本実施の形態では、構造が簡単であることからコストダウンの要請に応えることができる効果が期待できるものである。
【００２４】
図８（ｂ）に示す緑化基盤材５０は、矩形状の平板５１の隅部及び中間部分に９本の脚柱５２が固着されており、各脚柱５２で囲まれた区画をそれぞれの緑化土壌材料収納部５３として構成してある。
平板５１の緑化土壌材料収納部５３を構成する区画の中央には、平板を貫通するやや大きな植栽孔５４が空けられており、植栽する植物の種子や地下茎等を土質系材料及び保水・吸水材料を主体とする緑化用土壌材料と共に埋め込むことができるように構成してあり、その効果は、図８（ａ）と同様である。
【００２５】
図９では、上記緑化基盤材４０、５０で説明した緑化材料収納部４３あるいは緑化土壌材料収納部５３に緑化材料８もしくは緑化土壌材料２７を組み込んだ状態を示している。
これらの組み込みに関しては、各材料の固化体を嵌め込むか粘土状にして塗り込むことで実施可能であり、スラリー状での対応は困難である。
【００２６】
上記実施の形態では、緑化基盤材の形状、緑化材料、緑化土壌材料及び緑化植栽材料についての具体的な例を挙げて説明してきたが、個の例はあくまでも例示であって、発明の趣旨を逸脱しない範囲で他の例も発明に含まれることは当然のことである。
同様に、本発明による緑化基盤材と緑化方法は、その適用分野についても上述した地盤、法面等に限定されるものでなく、建築物や橋梁、ダム等においても既存のコンクリート壁面等に接着剤やアンカーで緑化基盤材を固定し、植栽にツタ等の蔓性植物を用いる等して既存壁面の緑化を促進することも可能である。
【００２７】
【発明の効果】
本発明による第１の緑化基盤材は、ポーラスコンクリート製のブロック状硬化体であって、硬化体の下面側に緑化材料収納部を形成し、硬化体の表面から上記緑化材料収納部に貫通する生育孔を形成して緑化材料収納部に緑化材料を組み込むものであるから、緑化基盤材は取り扱いが容易であり、緑化材料収納部に組み込む緑化材料の中には大きな種子や地下茎を入れることができ、その組み込みも大量かつ容易である。
【００２８】
本発明による第２の緑化基盤材は、硬化体の下面側に緑化土壌材料収納部を形成し、硬化体の表面から上記緑化土壌材料収納部に貫通する植栽孔を形成して緑化土壌材料収納部に緑化土壌材料を組み込むものであるから、第１の緑化基盤材の効果に加えて、地盤、法面等のブロック張り工事を先行して実施することが可能であり、植栽に関しても自由であり種子の発芽や植栽の生育に最適な時期を見計らって確実な緑化処理に対応できる。
【００２９】
本発明による第３の緑化基盤材は、硬化体の下面側に緑化材料収納空間を形成し、硬化体の表面から緑化材料収納空間に貫通する注入孔を形成しているから、地盤、法面等のブロック張り工事を先行して実施することが可能であり、植栽に関しても自由であり種子の発芽や植栽の生育に最適な時期を見計らって確実な緑化処理に対応できる。
【００３０】
本発明による第１の緑化方法は、上記した第１の緑化基盤材を用いるものであるから、現地での施工工程が少なく施工・管理が簡単であり、緑化材料はポーラスコンクリートで覆われているので雨水・流水による洗い流しがなくずれ落ち現象も防止でき、さらに、緑化材料は乾燥し難く日照りにも強くできる効果を発揮できる。
【００３１】
本発明による第２の緑化方法は、上記した第２の緑化基盤材を用いて植栽孔から植栽するものであるから、第１の緑化方法の効果に加えて、地盤、法面等への緑化基盤材の設置と植栽とが時期的に自由であり、確実な緑化処理を実施できる効果を発揮している。
【００３２】
本発明による第３の緑化方法は、上記した第３の緑化基盤材を用いて注入孔から緑化植栽材料を送り込んで植栽するものであるから、第１、２で述べた緑化方法の効果に加えて、緑化植栽材料を介在にして地盤、法面等と緑化基盤材とを互いに密着させて一体化させる効果を発揮している。
【図面の簡単な説明】
【図１】  本発明による緑化基盤材の斜視図
【図２】  本発明による緑化基盤材の平面及び断面図
【図３】  緑化基盤材に緑化材料を組み込んだ状態図
【図４】  緑化基盤材の設置図
【図５】  本発明による他の緑化基盤材の斜視図
【図６】  本発明による他の緑化基盤材の平面及び断面図
【図７】  緑化基盤材の設置図
【図８】  本発明による他の緑化基盤材の斜視図
【図９】  緑化基盤材に緑化材料を組み込んだ状態図
【符号の説明】
１  緑化基盤材
２  緑化材料収納部
３  間仕切
４  貫通孔
５  脚壁
６  表面板
７  生育孔
８  緑化材料
９  地盤、法面
１０  生長した植物
３０  緑化基盤材
３１  緑化材料収納空間
３２  間仕切
３３  貫通孔
３４  脚壁
３５  表面板
３６  注入孔
３７  注入装置
４０、５０  緑化基盤材
４１、５１  平板
４２、５２  脚柱
４３  緑化材料収納部
４４  生育孔
５３  緑化土壌材料収納部
５４  植栽孔
【図１】
0003811837.tif 000002
【図２】
0003811837.tif 000003
【図３】
0003811837.tif 000004
【図４】
0003811837.tif 000005
【図５】
0003811837.tif 000006
【図６】
0003811837.tif 000007
【図７】
0003811837.tif 000008
【図８】
0003811837.tif 000009
【図９】
0003811837.tif 000010